(57)【特許請求の範囲】
【請求項１】
フーチング及びこのフーチングから立直する基礎立直部を有する基礎と、前記基礎立直部の内側面に沿って配設される断熱材とを含む床下防蟻構造を施工するための方法であって、
地盤に掘り下げて形成した溝部に、前記断熱材の下端部における内側面及び外側面が断熱材防蟻シートで覆われるとともに前記断熱材又は前記基礎に前記断熱材防蟻シートの外側端部が固定された状態で前記基礎及び前記断熱材を設置し、かつ前記断熱材の内側面に前記断熱材防蟻シートを沿わせた状態で前記断熱材の内側面に前記断熱材防蟻シートの内側端部を取り外し可能に仮止めする基礎・断熱材設置工程と、
前記基礎・断熱材設置工程の後、前記断熱材防蟻シートの内側端部が前記断熱材の内側面に仮止めされた状態で前記溝部を埋める工程と、
前記基礎で囲まれた地盤の上に、前記断熱材防蟻シートとは別の床下防蟻シートを敷設する床下防蟻シート敷設工程と、
前記断熱材の内側面に仮止めされた前記断熱材防蟻シートの内側端部を前記断熱材の内側面から外し、この内側面から外された前記内側端部を前記地盤の上に敷設された前記床下防蟻シートと前記地盤上において重ね合わせて前記断熱材防蟻シートと前記床下防蟻シートとを連続させるシート接続工程と、を含む床下防蟻構造の施工方法。
【請求項２】
請求項１に記載の床下防蟻構造の施工方法において、前記の基礎・断熱材設置工程が、地盤に掘り下げて形成した溝部の底部にフーチング及びこのフーチングから立直する立直部を有する基礎を構築する基礎構築工程と、断熱材の下端部を前記断熱材防蟻シートで覆った状態で当該断熱材を前記基礎立直部の内側面に沿って配設する断熱材配設工程とを含むことを特徴とする床下防蟻構造の施工方法。
【請求項３】
請求項１に記載の床下防蟻構造の施工方法において、前記の基礎・断熱材設置工程が、地盤に掘り下げて形成した溝部の底部にコンクリートからなるフーチングを構築するフーチング構築工程と、断熱材の下端部を前記断熱材防蟻シートで覆い、この断熱材防蟻シートの外側端部を断熱材の外側面に沿わせ、前記断熱材防蟻シートの内側端部を断熱材の内側面に仮止めする防蟻シート被着工程と、前記フーチングの上に、前記防蟻シートで下端部が覆われた断熱材を型枠として立て、この断熱材に沿ってコンクリートを打設することにより前記フーチングにつながる基礎立直部を構築する基礎立直部構築工程とを含むことを特徴とする床下防蟻構造の施工方法。
【請求項４】
請求項３に記載の床下防蟻構造の施工方法において、前記基礎立直部構築工程は、前記断熱材に沿ってコンクリートを打設する際に当該コンクリートからなる基礎立直部と前記断熱材を覆う断熱材防蟻シートの外側端部とを接着するものであることを特徴とする床下防蟻構造の施工方法。
【発明の詳細な説明】
【０００１】
【発明の属する技術分野】
本発明は、断熱機能を持つ床下防蟻構造の施工方法に関するものである。
【０００２】
【従来の技術】
従来、木造建築物の床下構造においては、基礎で囲まれた床下部分の地盤上に防蟻シートを敷設し、この防蟻シートの端部を基礎の際（きわ）に固定して、防蟻材を塗布する等の防蟻処理を施すことにより、白蟻による建築物への食害を防止することが一般的に行われている。
【０００３】
【発明が解決しようとする課題】
近年、住宅の断熱化の観点から、基礎の内側面に発泡樹脂等からなる断熱材を設置する要求が高まってきている。この場合、断熱材による断熱効果を十分に発揮させるためには、断熱材の下端部がフーチング上面に達する深さまで当該断熱材の下部を地盤に埋設することが好ましい。ところが、前記の従来技術のように防蟻シートが基礎の際まで敷き詰められていると、このシートが邪魔になって前記断熱材の下部を埋設出来ないという不都合がある。
【０００４】
なお、かかる不具合を解消する手段として、防蟻シートの端部を基礎際まで設置せずに、断熱材の際まで設置する工法が考えられる。しかし、この場合、断熱材の下部は地盤と直接接触することとなり、白蟻が断熱材をその下部を食い破って断熱材上部にまで這い上がり、さらには建築物にも食害をもたらす恐れがあった。
【０００５】
そこで、本発明は、地盤に断熱材を埋め込んで高い断熱効果を得るようにしながら、高い防蟻効果をも得ることが可能な床下防蟻構造の施工方法を提供するものである。
【０００６】
【課題を解決するための手段】
請求項１の発明は、フーチング及びこのフーチングから立直する基礎立直部を有する基礎と、前記基礎立直部の内側面に沿って配設される断熱材とを含む床下防蟻構造を施工するための方法であって、
地盤に掘り下げて形成した溝部に、前記断熱材の下端部における内側面及び外側面が断熱材防蟻シートで覆われるとともに前記断熱材又は前記基礎に前記断熱材防蟻シートの外側端部が固定された状態で前記基礎及び前記断熱材を設置し、かつ前記断熱材の内側面に前記断熱材防蟻シートを沿わせた状態で前記断熱材の内側面に前記断熱材防蟻シートの内側端部を取り外し可能に仮止めする基礎・断熱材設置工程と、
前記基礎・断熱材設置工程の後、前記断熱材防蟻シートの内側端部が前記断熱材の内側面に仮止めされた状態で前記溝部を埋める工程と、
前記基礎で囲まれた地盤の上に、前記断熱材防蟻シートとは別の床下防蟻シートを敷設する床下防蟻シート敷設工程と、
前記断熱材の内側面に仮止めされた前記断熱材防蟻シートの内側端部を前記断熱材の内側面から外し、この内側面から外された前記内側端部を前記地盤の上に敷設された前記床下防蟻シートと前記地盤上において重ね合わせて前記断熱材防蟻シートと前記床下防蟻シートとを連続させるシート接続工程と、を含むことを特徴とする。
【０００７】
こうすれば、地中で断熱材の下端部を防蟻シートで覆いながら、このシートと地盤上に敷かれたシートとを連続させて高い防蟻効果を得ることが出来る。しかも、防蟻シート端部の処理は、従来のように防蟻シートの端部と基礎際を隙間が出来ないように密着した後、防蟻処理を行うといった作業を行う必要がなくなるため、施工作業を簡略化することが可能となる。
【０００８】
前記の基礎・断熱材設置工程としては請求項２のように、地盤に掘り下げて形成した溝部の底部にフーチング及びこのフーチングから立直する立直部を有する基礎を構築する基礎構築工程と、断熱材の下端部を前記断熱材防蟻シートで覆った状態で当該断熱材を前記基礎立直部の内側面に沿って配設する断熱材配設工程とを含むものが有効である。
【０００９】
また、請求項３のように、前記の基礎・断熱材設置工程が、地盤に掘り下げて形成した溝部の底部にコンクリートからなるフーチングを構築するフーチング構築工程と、断熱材の下端部を前記断熱材防蟻シートで覆い、この断熱材防蟻シートの外側端部を断熱材の外側面に沿わせ、前記断熱材防蟻シートの内側端部を断熱材の内側面に仮止めする防蟻シート被着工程と、前記フーチングの上に、前記防蟻シートで下端部が覆われた断熱材を型枠として立て、この断熱材に沿ってコンクリートを打設することにより前記フーチングにつながる基礎立直部を構築する基礎立直部構築工程とを含むようにすると、断熱材を基礎立直部の型枠として兼用することができるため、基礎立直部の構築後、型枠のうちの少なくとも断熱材は取り除く必要がなくなる。したがって、敷設作業の省力化を図ることが出来る。
【００１０】
この場合、基礎立直部構築工程は、前記フーチング上において前記断熱材よりも外側の位置に当該断熱材と略平行に別の型枠を立て、この型枠と前記断熱材との間にコンクリートを打設して基礎立直部を構築する工程をとることも出来る。
【００１１】
請求項４の発明は、請求項３に記載の床下防蟻構造の施工方法において、前記基礎立直部構築工程は、前記断熱材に沿ってコンクリートを打設する際に当該コンクリートからなる基礎立直部と前記断熱材を覆う断熱材防蟻シートの外側端部とを接着するものである。
【００１２】
こうすれば、基礎立直部構築工程で基礎内側面と防蟻シートとの固定作業も行うことができる。したがって、高い防蟻効果を得つつ、敷設作業の省力化が図れる。
【００１３】
【発明の実施の形態】
本発明の実施形態を図１及び図２によって説明する。ただし、本発明は以下の実施形態にとらわれることはない。
【００１４】
第１実施形態（図１参照）
基礎１０は、フーチング１０ａと、その上に立直する基礎立直部１０ｂとからなり、フーチング１０ａ及び基礎立直部１０ｂの下部は地盤１に埋設されている。
【００１５】
断熱材２０は、基礎立直部１０ｂの内側面に沿って設置され、この断熱材２０の下端がフーチング１０ａの上面に至る深さまで断熱材２０の下部が地盤内に埋設されている。
【００１６】
防蟻シート３０は、床下部分を覆う床下防蟻シート３０ａと、断熱材２０の下端部を覆う断熱材防蟻シート３０ｂを有する。
【００１７】
床下防蟻シート３０ａは、基礎１０で囲まれた地盤１の上に敷設され、その端部は断熱材２０から内側に若干離れている。断熱材防蟻シート３０ｂは、その外側端部が断熱材２０と基礎立直部１０ｂとの間に挟まれ、かつ基礎立直部１０ｂに接着されている。断熱材防蟻シート３０ｂの外側端部は断熱材２０の内側面と地盤１との間から地盤１の上面に導出され、かつ、地盤１の上に敷設された床下防蟻シート３０ａの端部と重ねられた状態で粘着テープ又は接着剤３２により固定されている。これにより、床下防蟻シート３０ａと断熱材防蟻シート３０ｂが互いに連続するようにして設置されている。
【００１８】
こうすれば、断熱材２０の下端部がフーチング１０ａの上面に至るまで埋設されているため、充分な断熱効果を得ることが出来る。しかも、断熱材防蟻シート３０ｂは、断熱材２０の下端部を覆い、かつ、断熱材２０の内側面と地盤１の間を遮断して、床下部分の地盤上面に敷かれた床下防蟻シート３０ａと連続するように設置されているため、断熱材２０は地盤１と直接接触することはない。したがって、高い断熱効果と防蟻効果を同時に得ることができる。
【００１９】
さらに、断熱材防蟻シート３０ｂの外側端部を基礎立直部１０ｂの内側面に粘着テープ、接着剤等で接着することにより、万が一フーチング１０ａの上面と断熱材防蟻シート３０ｂの間から白蟻が這い上がってきたとしても、接着された部分から上は白蟻が這い上がることが出来ず、確実に上部への侵入を防ぐことが出来る。よって、防蟻効果を高めることが出来る。
【００２０】
なお、接着は断熱材防蟻シート３０ｂの外側端部と基礎立直部１０ｂの内側面で行う代わりに、断熱材防蟻シート３０ｂの下端部とフーチング１０ａの上面１０ｂとで行っても同様の防蟻効果が得られる。また、断熱材２０の下端部と当該個所に対応する防蟻シート３０ｂの部分をスペーサーや、ランナー等で覆い、それらの下部とフーチング１０ａの上面とを接着剤で留めることによっても、同様の防蟻効果を得ることも可能である。
【００２１】
さらに、地盤１の上に防蟻シート３０を挟んで土間コンクリート４０を設置することも可能である。
【００２２】
この場合、地盤１の上に敷設された防蟻シート１をより強固に地盤１と密着、固定するため、さらに防蟻効果を向上させることが可能となる。
【００２３】
以下の実施形態において、第１実施形態と同一部分には同一符号を付して示し、その重複説明を省略する。
【００２４】
第２実施形態（図２参照）
当実施形態においては、第１実施形態の床下防蟻構造において、断熱材防蟻シート３０ｂの外側端部が基礎１０の上面に至るまで延長され、この基礎１０の上に設置される建造物の例えば土台と１０の上面とに挟まれることにより、基礎１０の上面に対して密着状態で固定されているものである。
【００２５】
こうすれば、断熱材防蟻シート３０ｂの外側端部は、基礎１０の上面に設置される建築物等の床下部分に挟まれて固定されるため、特に固定作業を行わなくても、断熱材防蟻シート３０ｂと、基礎１０が接着・固定される。よって、敷設作業の軽減化を行いつつ、第１実施形態で断熱材防蟻シート３０ｂの外側端部を基礎立直部１０ｂの内側面に接着した場合と同様に防蟻効果を高めることが出来る。
【００２６】
次に前記各構造を施工するための方法の例を説明する。図３（ａ）〜（ｈ）は第２実施形態の施工例を示し、図４（ａ）〜図４（ｆ）は第１実施形態の施工例を示す。
【００２７】
施工例１（図３（ａ）〜（ｈ）参照）
工程１  地盤１に掘り下げて形成した溝部に、フーチング１０ａ及びこのフーチング１０ａから立直する基礎立直部１０ｂとを有する基礎１０と、少なくとも下端部が断熱材防蟻シート３０ｂで覆われた状態で基礎立直部１０ｂの内側面に沿って配設される断熱材２０とを施工する。具体的には次の手順で基礎１０及び断熱材２０の施工を行う。
【００２８】
工程１−１  地盤１に掘り下げて形成した溝部に、フーチング１０ａ及びこのフーチング１０ａから立直する基礎立直部１０ｂとを有する基礎１０を設置する。（図３（ａ）参照）
工程１−２  断熱材防蟻シート３０ｂを基礎立直部１０ｂの上面並びに内側面、及び、フーチング１０ａの上面に沿わせる。（図３（ｂ）参照。）
工程１−３  断熱材２０を断熱材防蟻シート３０ｂを挟んで基礎立直部１０ｂの内側面及びフーチング１０ａの上面に設置する（図３（ｃ）参照。）
工程１−４  断熱材２０の内側面に断熱材防蟻シート３０ｂの内側端部を粘着テープ３４で仮止めする。（図３（ｄ）参照。）
その後、次のような工程を実施する。
【００２９】
工程２  地盤１に掘り下げて形成した溝部を埋め戻す。（図３（ｅ）参照。）
工程３  基礎１０で囲まれた地盤１の上に床下防蟻シート３０ａを敷設する。（図３（ｆ）参照。）
工程４  粘着テープ３４を剥がし、床下防蟻シート３０ａと断熱材防蟻シート３０ｂが連続するよう、断熱材防蟻シート３０ｂの内側端部を床下防蟻シート３０ａと重ね合わせて、粘着テープ又は接着剤３２で接着する。（図３（ｇ）参照。）
こうすれば、地中で断熱材２０の下端部を断熱材防蟻シート３０ｂで覆いながら、このシート３０ｂと地盤上に敷かれた床下防蟻シート３０ａとを連続させて高い防蟻効果を得ることが出来る。しかも、断熱材防蟻シート３０ｂの端部の処理は、従来のように防蟻シートの端部と基礎際を隙間が出来ないように密着した後、防蟻剤を塗布する等の防蟻処理を行うといった作業を行う必要がなくなるため、施工作業を簡略化することが可能となる。
【００３０】
さらに、基礎・断熱材設置工程について、図３（ｈ）のように予め断熱材防蟻シート３０ｂの内側端部を粘着テープ３４で仮止めし、断熱材２０の内側面下部、下端部、及び外側面に沿うように被覆し、その後、断熱材２０を工程１−１で設置した基礎立直部１０ｂの内側面及びフーチング１０ａの上面に沿うように設置することにより図３（ｄ）の状態にすることも可能である。
【００３１】
なお、工程１−２について、断熱材防蟻シート３０ｂを基礎立直部１０ｂの上面まで設置しているが、上面まで設置せずに図１に示すように内側面の一部までに留めることも可能である。こうすれば、第１実施形態を施工することが出来る。また、この場合、外側端部を断熱材２０に粘着テープ、接着剤等で固定すると、設置作業の時に外側端部が自由に動きまわることがなくなるため、作業時の負担が軽減される。
【００３２】
施工例２（図４（ａ）〜（ｆ）参照）
施工例１の工程２〜４は共通で、工程１を次の手順で行う。
【００３３】
工程１−１  地盤１に掘り下げて形成した溝部の底部にコンクリートからなるフーチング１０ａを設置する。その一方、断熱材２０の外側面、下端部及び内側面を予め断熱材防蟻シート３０ｂで覆って、この断熱材防蟻シート３０ｂの内側端部を断熱材２０の内側面に粘着テープ３４で仮止めしておき、この断熱材２０をフーチング１０ａの上に型枠として立てる。このとき、断熱材防蟻シート３０ｂの外側端部は粘着テープ、接着剤等を用いて断熱材２０に接着させておくのが好ましい。これにより、断熱材防蟻シート３０ｂを断熱材２０の外側面に沿わせて覆う形態を維持しやすくなる。また、フーチング１０ａの上面には、断熱材２０よりも外側の位置に断熱材２０と略平行に別の型枠２２も立設する。（図４（ａ）参照。）
工程１−２  断熱材２０と型枠２２との間にコンクリートを流し込んで乾燥させることにより、基礎立直部１０ｂを構築する。このとき、断熱材防蟻シート３０ｂの外側端部が基礎立直部１０ｂに接着される。（図４（ｂ）参照。）
工程１−３  型枠２２を取り外す。（図４（ｃ）参照。）
以降の工程に関しては、以下の通り施工例１の工程２〜工程４と同様に行う。
【００３４】
工程２  地盤１に掘り下げて形成した溝部を埋め戻す。（図４（ｄ）参照。）
工程３  基礎１０で囲まれた地盤１の上に床下防蟻シート３０ａを敷設する。（図４（ｅ）参照。）
工程４  粘着テープ３４を剥がし、床下防蟻シート３０ａと断熱材防蟻シート３０ｂが連続するよう、断熱材防蟻シート３０ｂの内側端部を床下防蟻シート３０ａと重ね合わせて、粘着テープ又は接着剤３２で接着する。（図４（ｆ）参照。）
こうすれば、断熱材２０を基礎立直部１０ｂの型枠として兼用することができるため、基礎立直部１０ｂの構築後、型枠のうちの少なくとも断熱材２０は取り除く必要がなくなる。したがって、敷設作業の省力化を図ることが出来る。
【００３５】
なお、工程１−１において、断熱材防蟻シート３０ｂについては、同シート３０ｂが断熱材２０の外側面を覆っている部分（外側部分）を延長して断熱材２０の上面を覆うようにしてもよい。（図２参照。）この場合、断熱材上面を覆っている部分については、基礎立直部１０ｂの構築後、この基礎立直部１０ｂの上面を覆うことが可能である。
【００３６】
また、工程１−２において、コンクリートを流し込んで乾燥させる際、断熱材防蟻シート３０ｂの外側部分を基礎立直部１０ｂの内側面と接着させることが可能であるため、その接着により、別途の作業工程を必要とせずに断熱材防蟻シート３０ｂと基礎立直部１０ｂの内側面との密着状態を確実に保つことが出来る。よって、高い防蟻効果を得つつ、敷設作業の省力化を図ることが可能となる。
【００３７】
この場合、断熱材防蟻シート３０ｂの外側端部に織布、不織布、メッシュ等のように、コンクリートと密着性の良い素材を取り付けて、コンクリートを流し込む際にそれらを接触させるようにすると、防蟻シート３０ｂの外側部分と基礎立直部１０ｂの内側面との接着力や接着の耐久性を向上させることが出来るため、好ましい。なお、この効果に関しては、実施例２の場合のみに限定するものではなく、以下に挙げられた実施例３、４等に代表されるように、少なくとも基礎立直部１０ｂの成形の工程と防蟻シート３０ｂの外側部分と基礎立直部１０ｂの内側面とを接着する工程を同時に行う場合において有効である。
実施例３（図５（ａ）〜（ｃ）参照）
施工例２の工程２〜４は共通で、工程１を次の手順で行う。
【００３８】
工程１−１  地盤１に掘り下げて形成した溝部の底部にコンクリートからなるフーチング１０ａを設置する。その一方、断熱材２０の外側面、下端部及び内側面を予め断熱材防蟻シート３０ｂで覆って、この断熱材防蟻シート３０ｂの内側端部を断熱材２０の内側面に粘着テープ３４で仮止めしておき、この断熱材２０をフーチング１０ａの上に立てる。このとき、実施例２と同様に断熱材防蟻シート３０ｂの外側端部は粘着テープ、接着剤等を用いて断熱材２０に接着させておくのが好ましい。さらに、断熱材２０の内側の位置に、断熱材防蟻シート３０ｂ及び粘着テープ３４を挟むようにして型枠２０を立設する。また、フーチング１０ａの上面には、断熱材２０よりも外側の位置に断熱材２０と略平行に別の型枠２２も立設する。（図５（ａ）参照。）
工程１−２  断熱材２０と型枠２２との間にコンクリートを流し込んで乾燥させることにより、基礎立直部１０ｂを構築する。このとき、断熱材防蟻シート３０ｂの外側端部が基礎立直部１０ｂに接着される。（図５（ｂ）参照。）
工程１−３  内側及び外側の型枠２２、２２を取り外す。（図５（ｃ）参照。）
以降の工程に関しては、施工例２の工程２〜工程４と同様に行う。（図４（ｄ）〜（ｆ）参照。）
こうすれば、断熱材２０単体では型枠２２として機能できない素材を選定した場合においても、コンクリートを流し込んで乾燥させる際、断熱材防蟻シート３０ｂの外側部分を基礎立直部１０ｂの内側面と接着させることが可能である。したがって、断熱材２０の種類に限定されずに、別途の作業工程を必要とせずに断熱材防蟻シート３０ｂと基礎立直部１０ｂの内側面との密着状態を確実に保つ工法を取ることが出来る。よって、断熱材２０の素材に限定されずに、高い防蟻効果を得つつ、敷設作業の省力化を図ることが可能となる。
【００３９】
実施例４（図６（ａ）〜（ｃ）参照）
施工例２の工程２〜４は共通で、工程１を次の手順で行う。
【００４０】
工程１−１  地盤１に掘り下げて形成した溝部の底部に基礎１０を立設するために、フーチング１０ａ及び基礎立直部１０ｂの内外両側面を形成するための型枠２２、２２を設置する。その一方、断熱材２０の外側面、下端部及び内側面を予め断熱材防蟻シート３０ｂで覆って、この断熱材防蟻シート３０ｂの内側端部を断熱材２０の内側面に粘着テープ３４で仮止めする。さらに、断熱材防蟻シート３０ｂの外側端部は粘着テープ、接着剤等を用いて断熱材２０に接着させておく。また、内側に設置された型枠２２の基礎立直部１０ｂが形成される部分に、断熱材２０の内側面が、粘着テープ、接着剤等によって仮止めされる。（図６（ａ）参照。）
工程１−２  断熱材２０と型枠２２との間にコンクリートを流し込んで乾燥させることにより、基礎１０を構築する。このとき、断熱材防蟻シート３０ｂの外側端部が基礎立直部１０ｂの内側面に接着される。（図６（ｂ）参照。）
工程１−３  内側及び外側の型枠２２、２２を取り外す。（図６（ｃ）参照。）
以降の工程に関しては、施工例２の工程２〜工程４と同様に行う。（図４（ｄ）〜（ｆ）参照。）
こうすれば、フーチング１０ａの成形及び基礎立直部１０ｂの成形を同工程で行うことができるため、さらに敷設作業の省力化を図ることが可能となる。
【００４１】
本実施形態の施工方法は、基礎内側面に沿って断熱材が設けられ、かつ、この断熱材の下端部が前記基礎のフーチング上面に至るまで当該断熱材の下部が地盤内に埋設された床下防蟻構造を施工するためのものである。この床下防蟻構造は、前記基礎で囲まれた地盤上に防蟻シートが敷かれるとともに、断熱材の少なくとも下端部が防蟻シートで覆われ、かつ、この断熱材の下端部を覆う防蟻シートと前記地盤上に敷かれる防蟻シートとが連続している。
【００４２】
こうすれば、断熱材下端部がフーチング上面に至るまで埋設されているため、充分な断熱効果を得ることが出来る。しかも、この断熱材下端部は防蟻シートで覆われており、かつ、このシートは床下部分の地盤上面に敷かれたシートと連続しているため、断熱材は完全に地盤と遮断される。したがって、高い断熱効果と防蟻効果を同時に得ることができる。
【００４３】
なお、「断熱材の下端部を覆う防蟻シートと前記地盤上に敷かれる防蟻シートとが連続している」とは、断熱材の下端部を覆う防蟻シートと前記地盤上に敷かれる防蟻シートが接着することにより連続していることである。
【００４４】
また、前記床下防蟻構造において、前記断熱材の下端部を覆う防蟻シートの端部が基礎の内側面に接着されていてもよい。
【００４５】
こうすれば、防蟻シートの端部は基礎の内側面に接着されているため、万が一基礎と防蟻シートの間から白蟻が這い上がってきたとしても、上記接着部において確実に上部への侵入を防ぐことが出来る。これによって、さらに防蟻効果を高めることが出来る。
【００４６】
また、前記床下防蟻構造において、前記断熱材の下端部を覆う防蟻シートの端部が、基礎の上面に密着状態で固定されていてもよい。
【００４７】
こうすれば、防蟻シートの端部は基礎の上面に設置される建築物の床下部分と接触して固定され、別に固定作業を行う必要がなくなるため、敷設作業の軽減化を行いつつ、上記と同様に防蟻効果を高めることが出来る。
【００４８】
【発明の効果】
以上説明したことから明らかなように、本発明は、断熱材下端部がフーチング上面に至るまで埋設されているため、充分な断熱効果を得ることが出来る。しかも、この断熱材下端部は防蟻シートで覆われており、かつ、このシートは床下部分の地盤上面に敷かれたシートと連続しているため、断熱材は地盤と直接接触することはない。したがって、高い断熱効果と防蟻効果を同時に得ることができる。
【図面の簡単な説明】
【図１】  本発明に係る第１実施形態の断面図である。
【図２】  本発明に係る第２実施形態の断面図である。
【図３】  （ａ）〜（ｈ）は、本発明に係る防蟻構造の施工例１の工程図である。
【図４】  （ａ）〜（ｆ）は、本発明に係る防蟻構造の施工例２の工程図である。
【図５】  （ａ）〜（ｃ）は、本発明に係る防蟻構造の施工例３の工程図である。
【図６】  （ａ）〜（ｃ）は、本発明に係る防蟻構造の施工例４の工程図である。
【符号の説明】
１  地盤
１０  基礎
１０ａ  フーチング
１０ｂ  基礎立設部
２０  断熱材
２２  型枠
３０  防蟻シート
３０ａ  床下防蟻シート
３０ｂ  断熱材防蟻シート
３２  粘着テープ又は接着剤
【図１】
0004769393.tif 000002
【図２】
0004769393.tif 000003
【図３】
0004769393.tif 000004
【図４】
0004769393.tif 000005
【図５】
0004769393.tif 000006
【図６】
0004769393.tif 000007